(57)【要約】【課題】  本発明によれば、吸湿材を用いた浴室乾燥装置内の熱交換器において発生する凝縮水、を、導水管路を介して排水トラップにおける封水部より上流側に排出するため、溜めた凝縮水を定期的に廃棄する煩わしさを解消し、凝縮水が多いときでも浴室内へ凝縮水が滴り落ちることもなく不快感を低減できる。【解決手段】  浴室空気中の水分を吸着する除湿材と、前記浴室乾燥装置内に取り込んだ浴室空気を前記除湿材を通過させ、再び浴室内に戻るように空気の流れを形成する送風手段と、前記除湿材再生手段と、前記再生手段によって、前記除湿材から脱離した水分を含む高温空気を浴室空気で冷却させる熱交換器と、前記熱交換器で水分を含む高温空気が浴室空気で冷やされることで発生する凝縮水を前記浴室乾燥装置が取り付けられた浴室内壁面の外側を通して、床面に配置された排水トラップの封水部より上流側に排水する導水管路と、を備えたことを特徴とする【選択図】  図１
2007271196.tif 000002
【特許請求の範囲】
【請求項１】
除湿機能を備えた浴室乾燥装置であって、
浴室空気中の水分を吸着する除湿材と、
前記浴室乾燥装置内に取り込んだ浴室空気を前記除湿材を通過させ、再び浴室内に戻るように空気の流れを形成する送風手段と、
加熱することで前記除湿材から水分を脱着させる再生手段と、
前記再生手段によって、前記除湿材から脱離した水分を含む高温空気を浴室空気で冷却させる熱交換器と、
前記熱交換器で浴室空気によって冷やされた空気を再び除湿材に戻すことで空気を循環させる流れを形成する再生送風手段と、
前記熱交換器で水分を含む高温空気が浴室空気で冷やされることで発生する凝縮水を前記浴室乾燥装置が取り付けられた浴室内壁面の外側を通して、床面に配置された排水トラップの封水部より上流側に排水する導水管路と、を備えたことを特徴とする浴室乾燥装置。
【請求項２】
冷却器、放熱器、加圧器、減圧機を有するヒートポンプ機構を備えた浴室乾燥装置であって、
前記浴室乾燥装置内に取り込んだ浴室空気を前記冷却器に通過させて冷やした後、前記放熱器を介して再び浴室内に戻す空気の流れを形成する送風手段と、
水分を含む浴室空気を前記冷却器に通過させることで発生する凝縮水を前記浴室乾燥装置が取り付けられた浴室内壁面の外側を通して床面に配置された排水トラップの封水部より上流側に排水する導水管路と、を備えたことを特徴とする浴室乾燥装置。
【請求項３】
請求項１または２記載の浴室乾燥装置において、前記熱交換器によって発生した凝縮水を強制的に移送させる凝縮水排水ポンプを備えたことを特徴とする浴室乾燥装置。
【発明の詳細な説明】
【技術分野】
【０００１】
本発明は、空間の高湿空気の水分を除去する装置に係り、特に入浴後の浴室の乾燥除湿運転や衣類の乾燥運転をする除湿乾燥装置に好適な、運転時に発生する凝縮水の排出処理に関する発明である。 
【背景技術】
【０００２】
浴室内は使用時あるいは使用直後には高温多湿であり水分が豊富に存在している。従来の吸湿材を用いて浴室空気を除湿する除湿浴室乾燥装置では、吸湿材に吸着した水分を加熱などにより脱離させ、吸湿材として再使用することが必要である。したがって再生により吸湿材より放出された水分は高温高湿空気となり、装置外に排出されなければならない。しかし、省エネルギーを考慮した除湿浴室乾燥装置では、排気すべき高温高湿空気を熱交換により熱を取込む構造を成しているものがある。熱交換の際に高温高湿空気が冷却され、浴室や除湿浴室乾燥装置内に含まれる水分が蒸気から凝縮水へと変化し、多量の水が発生する。
また、冷却器、放熱器、加圧器、減圧機で構成されるヒートポンプ機構においても、冷却器において浴室内空気が冷却され、多量の水が発生する。
図９には、その多量に発生する水、すなわち除湿乾燥の際に凝縮した水分を、ドレインタンクに溜めて適宜排水しているものがある（特許文献１）。熱交換器を内蔵した除湿浴室乾燥装置は、吸着媒体を加熱して再生した空気を熱交換器で給気される浴室空気と熱交換するようになっている。その熱交換の際の冷却によって、再生した高温高湿空気から凝縮した水分は天井から滴下することがないようにドレインタンクに貯水されるようになっている。使用者は定期的に凝縮水の溜まったドレインタンクを取り出し、排水することができる。
このような場合、ドレインタンク容量によっては頻繁にドレインタンクに溜められた凝縮水を、その溜水量を確認しながら廃棄する必要があった。通常は浴室空間を広く確保するために、浴室に備える浴室乾燥機内のドレインタンクは容積が小さいものであるほうが望ましい。そのため、頻繁に、あるいは使用するたびにドレインタンク内の凝縮水を廃棄する必要が生じていた。しかも、使用者に溜水量の確認と廃棄の作業を強いることになり、使用する上で煩わしさを与えていた。また、装置にタンクを設けたため、ドレインタンク容量分のスペースが装置内に必要になり、装置の設計上において不都合を与えていた。とりわけ、天井裏に設置する形式の除湿浴室乾燥装置は浴室天井裏の限られた空間に収納させるため装置の大きさが制限される問題があり、できるかぎり小型の装置が望まれている。
【０００３】
図１０のように従来、装置内で発生した凝縮水をひも状のドレイン水案内具を伝わせて浴室内床面に廃棄するものもある（特許文献２）。浴室内空気の湿気を取り除く熱交換器と熱交換器で発生した凝縮水を受けるドレインパンとを内蔵するとともに、ドレインパンにはめ込まれ凝縮水を浴室内の浴室床面に導く伸縮自在なドレイン水案内具を装置本体より引き出し可能にしてある。発生した凝縮水がドレインパンに溜まるたびにドレイン水案内具を伝わって浴室内の浴室床面に排出されるため、使用者が凝縮水を廃棄する作業を強いられることはなく、発生した凝縮水はそのたびに廃棄することが可能になっている。廃棄された凝縮水は、浴室床面を流れて排水溝あるいは排水口に導かれ浴室外へ排水するようになっている。
しかし、この場合、浴室内に凝縮水を排出させることによって浴室内の水分量を効率的に減らすことができなく、すなわち乾き方が遅く除湿の効率が悪くなる問題が発生していた。また、床面に排水することにより、床がいつも濡れていて使用者に不快感を与えていたなどの問題があった。 
【特許文献１】特開２００１−２９３３２４号公報
【特許文献２】実公昭６２  −１４４５２８号公報
【発明の開示】
【発明が解決しようとする課題】
【０００４】
本発明は、上記問題を解決するためになされたもので、本発明の課題は、凝縮水を素早く浴室外に排出する機構がないために、使用中に発生する凝縮水を素早く処理できずにいたことである。すなわち、ドレインタンクを設けた除湿浴室乾燥装置の構造では、凝縮水はドレインタンクの容量分が溜められるだけで、浴室外に排出する機構は有していない。また、凝縮水をドレイン水案内具に伝わせて排出する構造の除湿浴室乾燥装置においては、凝縮水が浴室床面に排出されるのみで、浴室外に排出する機構は有していない。
そのために、溜めた凝縮水を定期的に廃棄する煩わしさが発生し、凝縮水が多い場合は浴室天井や壁に凝縮水が溢れて浴室に滴り落ちることになり、使用する上で不快感を与えていた。また一方で、凝縮水を浴室に排出していたために、浴室から水分を効率よく廃棄できず除湿乾燥効率を悪化させていた。
【課題を解決するための手段】
【０００５】
本発明の一態様によれば、除湿機能を備えた浴室乾燥装置であって、浴室空気中の水分を吸着する除湿材と、前記浴室乾燥装置内に取り込んだ浴室空気を前記除湿材を通過させ、再び浴室内に戻るように空気の流れを形成する送風手段と、加熱することで前記除湿材から水分を脱着させる再生手段と、前記再生手段によって、前記除湿材から脱離した水分を含む高温空気を浴室空気で冷却させる熱交換器と、前記熱交換器で浴室空気によって冷やされた空気を再び除湿材に戻すことで空気を循環させる流れを形成する再生送風手段と、前記熱交換器で水分を含む高温空気が浴室空気で冷やされることで発生する凝縮水を前記浴室乾燥装置が取り付けられた浴室内壁面の外側を通して床面に配置された排水トラップの封水部より上流側に排水する導水管路と、を備えたことを特徴とする。
【０００６】
また、本発明の一態様によれば、冷却器、放熱器、加圧器、減圧機を有するヒートポンプ機構を備えた浴室乾燥装置であって、
前記浴室乾燥装置内に取り込んだ浴室空気を前記冷却器に通過させて冷やした後、前記放熱器を介して再び浴室内に戻す空気の流れを形成する送風手段と、
水分を含む浴室空気を前記冷却器に通過させることで発生する凝縮水を前記浴室乾燥装置が取り付けられた浴室内壁面の外側を通して床面に配置された排水トラップの封水部より上流側に排水する導水管路と、を備えたことを特徴とする
【発明の効果】
【０００７】
本発明によれば、吸湿材を用いた浴室乾燥装置内の熱交換器において発生する凝縮水、ヒートポンプ機構を用いた浴室乾燥装置内の冷却器において生ずる凝縮水を、導水管路を介して排水トラップにおける封水部より上流側に排出するため、溜めた凝縮水を定期的に廃棄する煩わしさを解消し、凝縮水が多いときでも浴室内へ凝縮水が滴り落ちることもなく不快感を低減できるという効果がある。
また、浴室床面や浴室内に凝縮水を廃棄せず浴室外へ廃棄することで、浴室内の水分量を効率よく減少させて、除湿乾燥効率を悪化させない効果がある。更に、封水部より上流側に排出するため浴槽や浴室床面から排水トラップに流入した排水が導水管路側に逆流しにくく封水部より下流側に下水道の臭気が導水管路側に流入することも防止できる。逆流を防止できる位置に導水管を接続しているため、浴槽や洗い場床面の排水口から排出されるシャンプーやリンス、ボディーソープや皮脂汚れを含んだ排水が導水管路に流入しにくいため導水管路内に固形物が堆積して配管を閉塞させる恐れもなく、導水管路の径を小さくすることも可能となる。
【発明を実施するための最良の形態】
【０００８】
本発明の浴室乾燥装置の第１実施例を図１に示す。本浴室乾燥装置は、浴室乾燥機２内で発生した凝縮水を浴室排水トラップ３まで導く凝縮水導水管４が浴室外に設置されている。前記凝縮水導水管４は一端が浴室乾燥装機２に結合され、他端が浴室床面に配設される浴室排水トラップ３に取り付けられる構造となっている。一般的な住居用浴室に設けられている前記浴室排水トラップは浴槽の使用水と洗い場の使用水を排出するように工夫され、浴槽配管が洗い場の床面から取り出された配管に合流し、前記浴室排水トラップに設けられた溜水部３６を経て排出する構造を有している。本発明では、前記浴室排水トラップ３に接続する凝縮水導水管４および導水管接続部５を設けてある。すなわち、凝縮水は前記凝縮水導水管４を通り、前記導水管接続部５を介して、浴室床面の前記浴室排水トラップ３に流れ込むようになる。それによって、浴槽の使用水ならびに洗い場の使用水と同一の配管を利用して浴室外へ廃棄することが可能である。
【０００９】
前記浴室乾燥装置の第１実施例の凝縮水導水管４の浴室排水トラップ３側の導水管接続部５の例を、図２に示す。本実施例では、前記導水管接続部５は前記浴室排水トラップ３の最外側部に接続する構造としている。前記凝縮水導水管４を浴室床面６の下部より配設させ、浴室床面６下部に露出している前記導水管接続部５に浴室床面６の外側から凝縮水導水管４を接続している。前記凝縮水導水管４内部を通ってきた凝縮水は、重力にしたがって浴室床面６まで落下し、前記導水管接続部５を介して浴室排水トラップ３に排出することができる。本実施例では、浴室排水トラップ３の側部に接続する構造としたが、浴室排水トラップ３の封水部より上流側であればどこでもよい。尚、ここで封水部とは、浴室内と下水道に繋がる排水管とを縁切りするための溜水部分を示しており、封水部より上流側とは溜水面７より上方側を示すものである。
【００１０】
前記凝縮水接続部５は前記浴室排水トラップ３内の封水された溜水面７よりも上流に取り付けられることで、例えば下水配管の悪臭が前記凝縮水導水管４を通って浴室１内に放散しない構造になっている。加えて、前記凝縮水導水管４が前記浴室排水トラップ３内の封水された溜水面７に凝縮水を滴下させる構造のため、浴槽の使用水や洗い場の使用水が前記凝縮水導水管４に触れることなく、前記凝縮水導水管４内に凝縮水あるいは排水される浴槽排水９や洗い場排水８が前記浴室排水トラップ３から凝縮水導水管４を逆流して浴室乾燥機２内や、浴室１内に容易に水分が浸入しない構造になっている。
【００１１】
本発明の浴室乾燥装置の第２実施例を図３に示す。本浴室乾燥装置は、浴室乾燥装機２内で発生した凝縮水を浴室排水トラップ３まで導く凝縮水導水管４が浴室外に設置されている。前記凝縮水導水管４は一端が浴室乾燥機２内の図示されていない凝縮水を一時貯めするタンクに結合され、他端が浴槽１１の防水床パン１３に接続されている。前記浴室排水トラップ３は浴槽排水９と洗い場排水１０を排出するように工夫され、浴槽配管３５が前記浴室排水トラップ３に設けられた溜水部３６を経て排出する構造を有している。第２の実施例では、凝縮水導水管４は前記防水床パン１３に接続され、凝縮水は前記凝縮水導水管４を通り、前記防水床パン１３に流れ出る。前記防水床パン１３は前記浴槽配管３５へ接続しており、前記浴槽配管３５を通り、浴槽の排水と合流して、浴室排水トラップ３へ流れ込む。それによって、浴槽排水９ならびに洗い場排水８と同一の配管を利用して浴室外へ廃棄することが可能である。
【００１２】
前記浴室乾燥装置の第２実施例の凝縮水導水管４の防水床パン１３との導水管接続部５の例を、図４に示す。本実施例では、前記導水管接続部５は前記防水床パン４の側部に接続する構造としている。この構造によって、防水床パン１３を通り、浴槽排水９と合流して、凝縮水を廃棄することが可能になる。前記凝縮水導水管４内部を通ってきた凝縮水は、重力にしたがって防水床パン１３まで落下し、前記浴槽配管３５を介して浴室排水トラップ３に排出することができる。尚、本発明で示す浴室排水トラップ３の封水部より上流側とは、上述した第二実施例のように防水床パン１３の側面に接続されるものであっても良く、浴室内壁外であって浴室内と下水道に繋がる排水管とを縁切りするための溜水部３６より上流側に凝縮水が排出されるものであれば良い。
【００１３】
前記導水管接続部５は第１の例と同様に前記浴室排水トラップ３内の封水された溜水面７よりも上方に取り付けられることで、例えば下水配管の悪臭が前記凝縮水導水管４を通って浴室内に放散しない構造になっている。加えて、前記凝縮水導水管４が前記浴室排水トラップ３内の封水された溜水面７に凝縮水を滴下させる構造のため、浴槽排水９や洗い場排水８が前記凝縮水導水管４に触れることなく、前記凝縮水導水管４内に凝縮水あるいは排水される浴槽排水９や洗い場排水８が前記浴室排水トラップ３から凝縮水導水管４を逆流して浴室乾燥機２内や、浴室１内に容易に水分が浸入しない構造になっている。
また、防水床パン１３に接続することによって、浴室床面６下に凝縮水導水管４を配設させることが困難な住居にも導入することが可能である。
【００１４】
次に、前記浴室排水トラップ３に凝縮水を排出する機構を搭載した前記浴室乾燥機２の構成図を図５、図６に示す。前記浴室乾燥機２は、浴室１内の湿度分を除去する例えばゼオライトやシリカゲルなどの水分吸着剤１６、浴室空気２４を前記吸着剤１６に接触させながら循環させる循環ファン１８、快適な温度に保つためと浴室内の水分をより揮発させるために設けられた温風ヒータ２０、浴室空気の塵や埃などが前記吸着剤１６へ付着しないように空気から除去する浴室フィルター２２、とで構成された吸着部１４と、前記吸着剤１６の水分を揮発させる再生ヒータ２１、前記再生ヒータ２１によって温められた再生空気２５を前記吸着剤１６へ送風する再生ファン１９、前記再生ファン１９と前記再生ヒータ２１とで前記吸着剤１６より脱離した加湿高温空気を冷却し凝縮作用により低湿にさせる熱交換器１７、とで構成された再生部１５と、前記熱交換器１７より凝縮した水分を排出させる部分とで構成される。
凝縮水２６の排出は、前記熱交換器１７の一端に排水のための孔を設けて前記凝縮水導水管４を接続するだけでも良いが、前記熱交換器１７の一端と接続した前記凝縮水導水管４の中間部にドレインタンクあるいはドレインパン２３を設けても良い。
【００１５】
前記吸着剤１６は微粒化させた水分吸着剤を例えばハニカム状の回転する円盤に固定させて吸着ロータとし、乾燥運転する部分と再生運転をする部分に吸着ロータ部分の空間を区分けし、歯車やプーリーを介してロータ回転モーター２８による駆動力を与えて吸着ロータを連続的に回転させながら、乾燥運転と再生運転を連続処理するように動作させる。
【００１６】
浴室乾燥機２の動作方法について次に説明する。入浴あるいは洗濯物を浴室内に干した後に、使用者が別に設けられた操作部を乾燥運転するように操作させることによって乾燥運転の動作が開始される。乾燥運転は前記循環ファン１８が作動することによって空気が循環し浴室空気２４の湿分が吸着して乾燥させる。同時に再生側経路では、再生ファン１９が稼動した後に再生ヒータ２１に電流が投入され再生空気２５を加熱させる。その動作によって、加熱空気が前記吸着剤１６に接触して吸着した水を脱離させて多湿高温空気が生成する。その後、多湿高温空気は前記熱交換器１７に導入されて冷却とともに水分が凝縮し低湿空気に変換されて再生ファン１９に送風される。ここで、熱交換器１７で高温高湿から浴室空気２４と熱交換されて水分が凝縮水として取り除かれた空気はまだ、充分な熱を持っているため再び再生経路に戻されて熱を有効利用することによって省エネ運転が可能となっている。その行程を繰り返し、再生運転が継続する。
前記ロータ回転モータ２８により吸着剤１６は水分を吸着し浴室内の除湿に起因する経路と水分を脱離させ、吸着能力を回復する再生に起因する経路とを循環し、前記循環ファン１８が駆動する除湿運転と前記再生ヒータ２１と前記再生ファン１９が駆動する再生運転が同時に動作するようになっている。
【００１７】
生成した凝縮水２６は浴室乾燥機２の一端に接続された凝縮水導水管４に集水され、前記凝縮水導水管４の途中に凝縮水排水ポンプ３０が設置されている。乾燥運転が開始されると同時に前記凝縮水排水ポンプ３０が駆動し、前記熱交換器１７および前記凝縮水導水管４に集水され溜まった凝縮水２６を吸引し、前記浴室排水トラップ３に接続している下方へ導水させる。前記凝縮水排水ポンプ３０は、回転の運動エネルギーを作動原理とする軸流ポンプや渦巻きポンプでも構わないが、押し出しが可能なギアポンプやベーンポンプ、あるいはピストンポンプやプランジャーポンプのような容積式のポンプが確実に排出できるため、凝縮水による閉塞の怖れがある水平に設置され勾配の小さい熱交換器に使用するには良い。
【００１８】
前記凝縮水排水ポンプ３０を設けることによって、前記熱交換器１７から生成する凝縮水２６を効率よく廃棄することができる。このように導水管路内に残存する水が少なくなるためカビが繁殖しにくくなる。カビが繁殖しにくくなることによりカビの臭気や胞子が導水管路から浴室側に送られることもなくなる。前記熱交換器１７は湿分を取り除く循環ファン１８によって流れが形成される浴室乾燥機２の循環経路の上流側に設けた方が効率的であり、また冷却用空気の浴室空気と熱交換が行われるように圧力損出が少ないよう工夫しながら接触面積を多く取る必要がある。そのため前記吸着剤１６入口を覆うように断面積を広くして配置されていることが多い。よって、前記熱交換器１７は浴室空気２０を取り入れる入口近辺に水平に置かれることが多い。前記熱交換器１６を水平に設置すれば前記熱交換器１６内の凝縮水２６を集水するための勾配が十分に確保できず、自然流下による排出量が少なくなり、凝縮水２６の前記浴室排水トラップ３への廃棄がスムーズに行われない。この際、凝縮水排出ポンプ３０は除湿運転時に必ずしも常時起動している必要はなく、除湿運転中の所定の周期で断続的に起動するようにしてもよい。
【００１９】
再生運転で生成する多湿高温空気は、浴室内湿度が高い状態の運転初期により高湿度で生成する。そのため、前記熱交換器１６で生成される凝縮水２６は運転初期に多量に生成することになる。自然流下では限られた排出量しかないところで、前記凝縮水排水ポンプ３０は勾配によらずその排出量を増加させ、凝縮水２６の前記浴室排水トラップ３への廃棄がスムーズになる。このことは、前記熱交換器１６での凝縮水２６の溜まりや閉塞現象を少なくするため、前記熱交換器１６での多湿高温な再生空気２５と浴室空気２４との熱交換の効率を向上させることにつながる。
【００２０】
前記凝縮水排水ポンプ３０の入口側に凝縮水を貯留するドレインパンかドレインタンクを設けることができる。本発明の前記凝縮水排出ポンプ３０にドレインパンが設けられた凝縮水２６を排出する部分を図７に示す。図示されていないドレインパンに溜められた凝縮水２６は前記凝縮水排出ポンプ３０によって、強制的に排出される。そのため、ドレインパンに滞留していた凝縮水２６が素早く排水されるため、溜まりすぎて溢れることがない。また、前記熱交換器１７に凝縮水２６が溜まり熱交換効率の低下を軽減させることができる。
【００２１】
浴室排水トラップ３に凝縮水２６を排出する機構を搭載した前記浴室乾燥機２の構成図を図８に示す。前記浴室乾燥機２は、冷却器３３、放熱器３４、加圧器３１、減圧機３２を有するヒートポンプ機構と循環ファン１８、ドレンパン２３で構成される。前記循環ファン１８は、装置内に取り込んだ浴室空気２４を前記冷却器３３に通過させて冷やした後、前記放熱器３４を介して再び浴室内１に戻す。前記冷却器３３を通過する際、水分を含む浴室空気２４は露点温度以下に冷やされ、空気中の水分が凝縮し、空気中の水分が減少する。その後、放熱器３４を通過し、温度が上昇することで、浴室空気２４の相対湿度が低下する。前記冷却器３３で発生した凝縮水２６は、前記ドレンパン２３に貯留され、前記ドレインパン２３に接続される凝縮水導水管４を通り、浴室排水トラップ３に自然流下により流入する。
前記ドレインパン２３は、一端に排水のための孔を設けて前記凝縮水導水管４を接続するだけでも良いが、前記ドレインパン２３の一端と接続した前記凝縮水導水管４の中間部にドレインタンクを設けても良い。
【００２２】
前記凝縮水排水ポンプ３０は、凝縮水２６が少ない時間は間欠的に運転させてもいい。凝縮水２６の少ないことを前記湿度センサーを用いて検出してもいいし、乾燥運転開始一定時間後に停止するか間欠的な運転になるかを決めるタイマーで制御されていてもいい。
【００２３】
前記凝縮水排出ポンプ３０への出力値を制御するよう制御部に接続させることができるため、必要に応じて排水量を調整することが可能である。前記ドレインパン２３やドレインタンクに電導度などで検出する水位センサーや、前記ドレインパン２３やドレインタンクの重量を検知する重量センサーが設けられていれば、凝縮水の水位が上がってある程度水が溜まった状態を検出して、前記凝縮水排出ポンプ３０への出力値を増加させて回転数を上昇し、排水量を増加させることができる。すなわち、前記ドレインパン２３やドレインタンクの容量を超える凝縮水が発生したとしても、前記水位センサーや、重量センサーによって前記ドレインパン２３の容量を越える水量を溜めずに溢れることがない。そのため、装置内から浴室内床面、あるいは洗濯物の上に、落ちることがない。
【図面の簡単な説明】
【００２４】
【図１】本発明の浴室乾燥装置全体の１実施形態を示す図である。
【図２】本発明の浴室床面下にて導水管を接続部に接続した浴室排水トラップを示す図である。
【図３】本発明の浴室乾燥装置全体の１実施形態を示す図である。
【図４】本発明の浴槽防水パンから導水管を接続部に接続した浴室排水口をを示す図である。
【図５】本発明の吸湿材を用いた浴室乾燥装置の構成を示す模式図である。
【図６】本発明の吸湿材を用いた浴室乾燥装置の図である。
【図７】本発明の凝縮水排出ポンプを備えた浴室乾燥装置全体の１実施形態を示す図である。
【図８】本発明のヒートポンプ機構を用いた浴室乾燥装置の模式図である。
【図９】従来例
【図１０】従来例
【符号の説明】
【００２５】
１…浴室、２…浴室乾燥機、３…浴室排水トラップ、４…凝縮水導水管、５…導水管接続部、６…浴室床面、７…溜水面、８…洗い場排水、９…浴槽排水、１０…浴室排水、
１１…浴槽、１２…バスエプロン、１３…防水床パン、１４…吸着部、１５…再生部、
１６…吸着剤（ロータ）、１７…熱交換器、１８…循環ファン、１９…再生ファン、２０…温風ヒータ、２１…再生ヒータ、２２…浴室フィルター、２３…ドレインパン、２４…浴室空気、２５…再生空気、２６…凝縮水、２７…換気ファン、２８…ロータ回転モータ、２９…ドレインパイプ、３０…凝縮水排出ポンプ、３１…加圧器、３２…減圧機、３３…冷却器、３４…放熱器、３５…浴槽配管、３６…溜水部
【図１】
2007271196.tif 000003
【図２】
2007271196.tif 000004
【図３】
2007271196.tif 000005
【図４】
2007271196.tif 000006
【図５】
2007271196.tif 000007
【図６】
2007271196.tif 000008
【図７】
2007271196.tif 000009
【図８】
2007271196.tif 000010
【図９】
2007271196.tif 000011
【図１０】
2007271196.tif 000012